(57)【要約】【課題】冷房運転のサーモオフ時において、室外ユニットの圧縮機が停止もしくは低容量で運転するために、吸い込まれた空気が熱交換器に付着した水滴（水分）を含んだ状態でファンにより部屋に吹き出されて、部屋の湿度が大きく上昇し、快適性が低下すること。【解決手段】熱交換器と、ファンを設けた室内ユニットと、圧縮機を設けた室外ユニットを備え、冷房運転のサーモオフ時において圧縮機の運転時間によりファンの回転数を変化させることにより、水滴（水分）を含んだ空気の放出量を低減することができ、部屋の湿度上昇を回避できる。【選択図】図１
2008039333.tif 000002
【特許請求の範囲】
【請求項１】
熱交換器と、ファンを設けた室内ユニットと、圧縮機を設けた室外ユニットを備え、冷房運転のサーモオフ時において前記圧縮機の運転時間により前記ファンの回転数を変化することを特徴とする空気調和装置。
【発明の詳細な説明】
【技術分野】
【０００１】
本発明は、冷房運転時サーモオフ制御を行う空気調和装置に関するものである。
【背景技術】
【０００２】
従来、この種の空気調和装置は、室内ユニットと室外ユニットで構成されたセパレート型空気調和装置の構成を持っている（例えば、特許文献１参照）。
【０００３】
図３は、従来のセパレート型空気調和装置の概略構成図、図４は、従来の室内ユニットの側断面図を示すものである。
【０００４】
図３に示すように、セパレート型空気調和装置は、室内ユニット１と室外ユニット２で構成され、室外ユニット２内の圧縮機３で流体を室内ユニット１と室外ユニット２間を循環させる。
【０００５】
図４に示すように、この室内ユニット１内部には、空気をＡ方向の吸込パネル４から吸い込み、熱交換器５により吸い込んだ空気と熱交換器５中を流れる流体を熱交換し、この熱交換された空気を吹出口６からファン７によりＢ方向に排出する。吹出口６付近にはモータ９にてスイングする上下羽根８が取り付けられている。
【０００６】
以上のような空気調和装置が設置された部屋の運転状態について室内ユニット１および室外ユニット２をもちいて、以下その動作、作用を説明する。
【０００７】
冷房運転時に、室内ユニット１内部でＡ方向から吸い込まれた空気が熱交換器５中の流体で冷やされ除湿してＢ方向に吹き出される。さらに吹き出された冷風は、スイングする上下羽根８により部屋の隅々まで到達する。そして冷房運転時に、室内ユニット１が設置された部屋の空調が設定温度（リモコンなどより設定）に達すると、室外ユニット２の圧縮機３の運転が停止もしくは低容量で運転して、流体の循環が止まる。これは、いわゆるサーモオフ状態と呼ばれる（以下サーモオフと呼ぶ）。つまり冷房運転時において、部屋の温度が設定温度にまで達すれば圧縮機３が停止もしくは低容量で運転し流体の循環が止まる。部屋の温度が設定温度より上昇すれば、部屋を再度冷やすために圧縮機３が運転して流体が熱交換器５を循環する。空気調和装置は、リモコンの設定温度などにより部屋の温度をあわせるため、このような運転が繰り返されている。
【特許文献１】特開平６−２６７１６号公報
【発明の開示】
【発明が解決しようとする課題】
【０００８】
しかしながら、前記従来の構成では、空気調和装置の冷房運転時におけるサーモオフ状態では、室外ユニットは停止するが、室内ユニットのファンは設定された回転数の状態で運転している。この時、室外ユニットの圧縮機が停止もしくは低容量で運転するため、室内ユニットの熱交換中では吸い込まれた空気と流体との熱交換がなくなり、この吸い込まれた空気が冷やされたり除湿されたりしない状態になる。このために吸い込まれた空気は熱交換器を通過する時に熱交換器に付着した水滴（水分）を含んだ状態になりファンにより部屋に吹き出され、吹き出された水分を含んだ空気により部屋の湿度が大きく上昇し、部屋にいる人は湿度が上昇することにより大変不快になるため、快適性が低下するという課題を有していた。
【０００９】
本発明は、前記従来の課題を解決するもので、冷房運転時の圧縮機の運転時間によりフ
ァンの回転数を制御することにより、部屋の湿度上昇を防止して快適性を向上させる空気調和装置を提供することを目的とする。
【課題を解決するための手段】
【００１０】
前記従来の課題を解決するために、本発明の空気調和装置は、室外ユニットに取り付けられた圧縮機において、冷房運転時のサーモオフ中に圧縮機の運転時間により、ファンの回転数を変化させるものである。
【００１１】
これによって、サーモオフ中において熱交換器に付着した水滴（水分）を含んだ空気が部屋に吹き出されるため湿度が大きく上昇していたが、圧縮機の運転時間によりファンの回転数を小さくすることにより水滴（水分）を含んだ空気の放出量を低減することができる。
【発明の効果】
【００１２】
本発明の空気調和装置は、室外ユニットに取り付けられた圧縮機の運転時間により、ファンの回転数を小さくする制御は、サーモオフ中に部屋の湿度を低減し快適性を向上させることができる。
【発明を実施するための最良の形態】
【００１３】
第１の発明は室内ユニットに取り付けられたファンの回転数を変化させる制御、つまり圧縮機の運転時間により、ファンの回転数を小さくして湿度の上昇を低減することができる。
【００１４】
以下、本発明の実施の形態について、図面を参照しながら説明する。なお、この実施の形態によって本発明が限定されるものではない。
【００１５】
（実施の形態１）
本発明の実施の形態における室内ユニットは従来と同様であるため、図４の従来の室内ユニットの側断面図を流用し、設置された部屋の運転状態について、以下その動作、作用を説明する。
【００１６】
冷房運転時に、室内ユニット１内部でＡ方向から吸い込まれた空気が熱交換器５で冷やされ除湿してＢ方向に吹き出される。吹き出された冷風は、スイングする上下羽根８により部屋の隅々まで到達する。そしてこの部屋の空調が設定温度（リモコンなどにて設定）に達すると、室外ユニット２の運転が停止する。すなわち、室外ユニット２に設置された流体を循環させる装置である圧縮機３が停止する。これらサーモオフ状態において、圧縮機の運転時間により、ファン１３の回転数を変化させる動作を行う。
【００１７】
図１は、本発明の第１の実施の形態における圧縮機とファン回転数の相関図を示すものである。図１において、室外ユニット２に設置された圧縮機の運転時間により室内ユニット１におけるファン７の回転数を小さくする場合の制御を示す。運転時間Ｃ以下においてファン７は設定回転数であるが、運転時間Ｄ以上では回転数Ｆ、運転時間Ｅ以上では回転数Ｇに変化（低下）させることにより熱交換器５からの水滴（水分）を含まれた空気の放出量を低減させる。
【００１８】
図２は、本発明の第１の実施の形態における圧縮機の運転と時間の相関図を示すものである。横軸に時間、縦軸にサーモオン（圧縮機３運転）とサーモオフ（圧縮機３停止）を示している。図２において、サーモオン時間あるいはサーモオフ時間は部屋の温度により様々に変化する。つまり圧縮機３の運転時間が短い場合は熱交換器５に付着する水分が少なく、運転時間が長い場合は熱交換器５に付着する水分が多いため、ファン７の運転時間
においても圧縮機３の運転時間が短い場合にファン７は低い回転数で運転し、圧縮機３の運転時間が長い場合にファン７は高い回転数で運転する。これにより、熱交換器５の状態（水分（水滴）を含んだ状態）にあった最適な制御を行うことが出来る。
【産業上の利用可能性】
【００１９】
以上のように、本発明にかかる空気調和装置は、ファンの制御によって、サーモオフ時の部屋の湿度上昇を防ぐことが可能となるので、除湿機等の用途にも適用できる。
【図面の簡単な説明】
【００２０】
【図１】本発明の実施の形態１における圧縮機とファン回転数の相関図
【図２】本発明の実施の形態１における圧縮機の運転と時間の相関図
【図３】従来のセパレート型空気調和装置の概略構成図
【図４】従来の室内ユニットの側断面図
【符号の説明】
【００２１】
１  室内ユニット
２  室外ユニット
３  圧縮機
４  吸い込みパネル
５  熱交換器
６  吹出口
７  ファン
８  上下羽根
９  モータ
Ａ  空気方向
Ｂ  吹き出し方向
Ｃ  運転時間
Ｄ  運転時間
Ｅ  運転時間
Ｆ  回転数
Ｇ  回転数
【図１】
2008039333.tif 000003
【図２】
2008039333.tif 000004
【図３】
2008039333.tif 000005
【図４】
2008039333.tif 000006